(57)【要約】      （修正有）【課題】桝に注がれた酒などの飲料をこぼさずにスマートに飲むための補助具を提供する。【解決手段】補助具は、桝Ｍの上縁部Ｍａに嵌合する嵌合部１１ａ又は係合する係合部を有し、桝の上縁部に脱着可能に取付けられる取付け部１１と、取付け部に固定され、取付け部を桝に取付けたときに、一端１２１が桝内部に延び、他端１２２が桝の外部に延出するとともに使用者が口に含むと下唇が取付け部又は桝の上縁部に触れる位置に設けられているストロー１２と、を備える。【選択図】図１
0003222216.tif 000002
【実用新案登録請求の範囲】
【請求項１】
桝に注がれた飲料を飲むための桝飲み補助具であって、
前記桝の上縁部に嵌合する嵌合部又は係合する係合部を有し、前記桝の上縁部に脱着可能に取付けられる取付け部と、
前記取付け部に固定され、前記取付け部を前記桝に取付けたときに、一端が前記桝内部に延び、他端が桝の外部に延出するとともに使用者が口に含むと前記使用者の下唇が前記取付け部又は前記桝の上縁部に触れる位置に設けられているストローと、
を備えた桝飲み補助具。
【請求項２】
前記取付け部は、木製である請求項１に記載の桝飲み補助具。
【請求項３】
前記ストローの少なくとも使用者が口に含む部分は、木製である請求項２に記載の桝飲み補助具。
【請求項４】
前記取付け部を前記桝に取付けたときに、前記ストローの前記他端の中心軸と前記桝の底面とのなす角が４５度以下である請求項３に記載の桝飲み補助具。
【考案の詳細な説明】
【技術分野】
【０００１】
本考案は、桝に注がれた酒などの飲料を飲むための補助具に関するものである。
【背景技術】
【０００２】
日本では、祝いの席に桝酒が振舞われることがある。しかし、桝酒はこぼさずに飲むだけでも大変であるところ、ましてスマート（粋）に飲むのは容易でない。そして、これを解決する技術も提案されてこなかった。これに対し、例えば特許文献１に示すように、コップに対するストローホルダーは提案されているが、特許文献１の技術を桝酒に転用したとしても、こぼさずに飲むという点については解決できても、スマートに飲むという点については、全く解決できなかった。
【先行技術文献】
【特許文献】
【０００３】
【特許文献１】特開２０００−３０８５５９号公報
【考案の概要】
【考案が解決しようとする課題】
【０００４】
本考案は、このような事情に鑑みてなされたものであり、桝に注がれた酒などの飲料をこぼさずにスマートに飲むための補助具を提供することを目的としている。
【課題を解決するための手段】
【０００５】
上記課題を解決するために、本考案は、桝に注がれた飲料を飲むための桝飲み補助具であって、前記桝の上縁部に嵌合する嵌合部又は係合する係合部を有し、前記桝の上縁部に脱着可能に取付けられる取付け部と、前記取付け部に固定され、前記取付け部を前記桝に取付けたときに、一端が前記桝内部に延び、他端がマスの外部に延出するとともに使用者が口に含むと前記使用者の下唇が前記取付け部又は前記桝の上縁部に触れる位置に設けられているストローと、を備えたことを要旨とする。この「使用者の下唇が前記取付け部又は前記桝の上縁部に触れる」とは、１００人中１００人の下唇が触れるという意味ではなく、一般使用者の多くの場合に下唇が触れるという意味である。
【０００６】
前記取付け部は、木製としてもよい。また、前記ストローの少なくとも使用者が口に含む部分を木製としてもよい。
【０００７】
前記取付け部を前記桝に取付けたときに、前記ストローの前記他端の中心軸と前記桝の底面とのなす角が４５度以下であると好適である。
【考案の効果】
【０００８】
本考案によれば、桝に注がれた酒などの飲料をこぼさずにスマートに飲むことができる。
【図面の簡単な説明】
【０００９】
【図１】第一の実施形態に係る桝飲み補助具を示した説明図である。
【図２】第一の実施形態に係る桝飲み補助具の使用状態を示した説明図である。
【図３】第二の実施形態に係る桝飲み補助具を示した説明図である。
【図４】第二の実施形態に係る桝飲み補助具の使用状態を示した説明図である。
【図５】第三の実施形態に係る桝飲み補助具を示した説明図である。
【図６】第三の実施形態に係る桝飲み補助具の使用状態を示した説明図である。
【考案を実施するための形態】
【００１０】
以下、本考案の桝飲み補助具を具現化した実施形態について、図面を用いて説明するが、本考案の技術的範囲は、もちろんこれだけに限定されるものではない。なお、周知の技術に関しては、詳細な説明を省略する。また、本明細書中で特に断りなく桝飲み補助具について上方向又は下方向という場合、図１（ｂ）の状態においての上下方向を指すものとする。
【００１１】
（第一の実施形態）
まず、第一の実施形態である桝飲み補助具１の構成について、図１及び図２を参照して説明する。図１（ａ）は本実施形態の桝飲み補助具１を示した説明図（平面図）である。図１（ｂ）は図１（ａ）のＡ−Ａ断面図である。図２は桝飲み補助具１の使用状態を示した説明図である。
【００１２】
図１に示すように、桝飲み補助具１は、主に取付け部１１、ストロー１２で構成される。
【００１３】
取付け部１１は、桝Ｍの上縁部Ｍａに嵌合する嵌合部１１ａを有し、桝Ｍの上縁部Ｍａに脱着可能に取付けられる。取付け部１１は、木製である。木製であることで、桝Ｍに取付けたときに、目立ちにくいようになっている。ただし、木製に限るものではない。
【００１４】
ストロー１２は、取付け部１１に固定され、水平に設けられた木製の飲み口部１２ａと、飲み口部１２ａに連結し直角に折れ曲がって桝Ｍ内部の底面に近接・離間するように延びるプラスチック製の吸い込み部１２ｂとからなる。飲み口部１２ａが木製であることで、使用者は桝Ｍから直接飲んだときと同様、唇に木の感触を得ることができる。ストロー１２の全てが木製であればなおよいが、折れ曲がった木製のストロー１２を作ることはコストの関係で困難であるため、このような構成となっている。このように、ストロー１２の使用者が口に含む部分を木製とすると好適であるが、本考案を実施するにあたっての必須事項ではない。
【００１５】
すなわち、ストロー１２は、取付け部１１に固定され、取付け部１１を桝Ｍに取付けたときに、一端１２１が桝Ｍ内部に延び、他端１２２が桝の外部に延出している。
【００１６】
また、図２に示すように、取付け部１１を桝Ｍに取付けた状態で、使用者Ｙがストロー１２の他端１２２を口に含むと、使用者Ｙの下唇Ｌが取付け部１１に触れるようになっている。他端１２２は、そのような位置に設けられている。
【００１７】
つぎに、桝飲み補助具１の使用方法について説明する。桝飲み補助具１を桝Ｍに取付ける。そして、桝Ｍに酒などを注ぐ。桝Ｍに酒などを注いでから桝飲み補助具１を桝Ｍに取付けてもよいが、片手で桝Ｍを持ち反対の片手で桝飲み補助具１を取付けるのは容易ではなく、これに手間取るとスマートではないため、先に桝飲み補助具１を桝Ｍに取付けたほうがよい。あとはストロー１２の他端１２２を口に含んで桝Ｍ内の酒などを飲むだけである。
【００１８】
ストロー１２で飲むためこぼすことがない。また、下唇Ｌを取付け部１１に触れさせながら飲むことになるため、とても自然な感じでスマートに飲むことができる。また、桝Ｍは、記念品として持ち帰ることが多いが、桝飲み補助具１は、脱着可能であるため、使用後は取外すことができる。
【００１９】
（第二の実施形態）
第二の実施形態である桝飲み補助具２の構成について、図３及び図４を参照して説明する。図３は本実施形態の桝飲み補助具２を示した説明図（正面断面図）である。図４は桝飲み補助具２の使用状態を示した説明図である。
【００２０】
図３に示すように、桝飲み補助具２は、主に取付け部２１、ストロー２２で構成される。
【００２１】
取付け部２１は、取付け部１１とほぼ同様の構成であるため説明を省略する。
【００２２】
ストロー２２は、木製の直管で、取付け部２１に斜めに固定されている。ストロー２２は、取付け部２１を桝Ｍに取付けたときに、一端２２１が桝Ｍ内部に延び、他端２２２が桝Ｍの外部に延出している。木製であることで、使用者は桝Ｍから直接飲んだときと同様、唇に木の感触を得ることができる。
【００２３】
また、図４に示すように、取付け部２１を桝Ｍに取付けた状態で、使用者Ｙがストロー２２の他端２２２を口に含むと、使用者Ｙの下唇Ｌが取付け部２１に触れるようになっている。
【００２４】
また、取付け部２１を桝Ｍに取付けたときに、ストロー２２の他端２２２の中心軸と桝Ｍの底面とのなす角が４５度以下となっている。
【００２５】
桝飲み補助具２の使用方法については、桝飲み補助具１と同様である。ストロー２２で飲むためこぼすことがない。また、ストロー２２の他端２２２の中心軸と桝Ｍの底面とのなす角が４５度以下であり、下唇Ｌを取付け部２１に触れさせながら飲むことになるため、とても自然な感じでスマートに飲むことができる。
【００２６】
（第三の実施形態）
第三の実施形態である桝飲み補助具３の構成について、図５及び図６を参照して説明する。図５（ａ）は本実施形態の桝飲み補助具３を示した説明図（平面図）である。図５（ｂ）は図５（ａ）のＢ−Ｂ断面図である。図６は桝飲み補助具３の使用状態を示した説明図である。
【００２７】
図５に示すように、桝飲み補助具３は、主に取付け部３１、ストロー３２で構成される。
【００２８】
取付け部３１は、桝Ｍの上縁部Ｍａに係合する係合部３１ａを有し、桝Ｍの上縁部Ｍａに架け渡されるように脱着可能に取付けられる。取付け部３１は、木製である。木製であることで、桝Ｍに取付けたときに、目立ちにくいようになっている。ただし、木製に限るものではない。
【００２９】
ストロー３２は、桝飲み補助具２と同様木製の直管で、取付け部３１に斜めに固定されている。ストロー３２は、取付け部３１を桝Ｍに取付けたときに、一端３２１が桝Ｍ内部に延び、他端３２２が桝Ｍの外部に延出している。木製であることで、使用者は桝から直接飲んだときと同様、唇に木の感触を得ることができる。
【００３０】
また、図６に示すように、取付け部３１を桝Ｍに取付けた状態で、使用者Ｙがストロー３２の他端３２２を口に含むと、使用者Ｙの下唇Ｌが桝Ｍの上縁Ｍａに触れるようになっている。また、取付け部３１を桝Ｍに取付けたときに、ストロー３２の他端３２２の中心軸と桝Ｍの底面とのなす角が４５度以下となっている。
【００３１】
桝飲み補助具３の使用方法については、桝飲み補助具１及び桝飲み補助具２と同様であるが、取付け部３１の構造上、飲料が注がれた桝Ｍに、後から桝飲み補助具３を取付けることが容易となっている。ストロー３２で飲むためこぼすことがない。また、ストロー３２の他端３２２の中心軸と桝Ｍの底面とのなす角が４５度以下であり、下唇Ｌを桝Ｍの上縁Ｍａに触れさせながら飲むことになるため、とても自然な感じでスマートに飲むことができる。
【００３２】
上述した内容は、あくまでも本発明の一実施形態に関するものであって、本発明が上記内容に限定されることを意味するものではない。
【符号の説明】
【００３３】
１：桝飲み補助具１（第一の実施形態）
２：桝飲み補助具２（第二の実施形態）
３：桝飲み補助具３（第三の実施形態）
１１：取付け部    １２：ストロー
２１：取付け部    ２２：ストロー
３１：取付け部    ３２：ストロー
Ｍ：桝    Ｍａ：上縁部
【図１】
0003222216.tif 000003
【図２】
0003222216.tif 000004
【図３】
0003222216.tif 000005
【図４】
0003222216.tif 000006
【図５】
0003222216.tif 000007
【図６】
0003222216.tif 000008